(57)【特許請求の範囲】
【請求項１】
ベッド部と、このベッド部の周辺に沿って立設され、ベッド部を囲む複数のベッド柵とを有し、前記ベッド柵の少なくとも一つには、該ベッド柵を上下方向に起立した姿勢を保持しながら上下移動して前記ベッド部の側方を開閉する開閉機構が設けられており、
前記ベッド柵の上下移動を拘束するロック機構と、該ロック機構によるロック状態を解除するための解除レバーとが設けられており、前記ロック機構は、前記ベッド柵の内面部に垂直回動可能に設けられたロック部材と、前記ベッド部に固定され前記ロック部材を係合可能なロック部材係合部と、前記ロック部材をロック方向に付勢するばねとからなり、前記解除レバーは、前記ベッド柵の外面部に垂直回動可能に設けられ、前記ロック部材と解除レバーとの間に、ロック解除の際の前記解除レバーの垂直回動操作を前記ロック部材に伝達して該ロック部材をロック解除方向に垂直回動させる接続部材が設けられており、
前記開閉機構は、前記ベッド部と前記ベッド柵との間を連結する第１リンク部材と、該第１リンク部材より下方位置で、前記ベッド部と前記ベッド柵とを連結する第２リンク部材とを有する平行リンク機構により構成され、
前記第１リンク部材は、その長さ方向の途中位置が引張コイルばねによって前記ベッド部の裏面部に支持され、該引張コイルばねは、前記ベッド柵の閉止位置から開放位置の間の中間位置でほぼ水平状態となるように設けられていることを特徴とする保育器。
【請求項２】
前記ロック機構は、前記ベッド柵の両側部に設けられ、
前記接続部材は、接続棒により構成され、その長さ方向の中央部が前記解除レバーを垂直回動可能に支持する軸と、前記解除レバーの操作端部との間の位置を貫通し、両端部が前記ロック部材係合部に係合する係合凹部が設けられている端部とは前記ロック部材を垂直回動自在に支持する軸を介して反対側の端部を貫通していることを特徴とする請求項１に記載の保育器。
【請求項３】
前記第１リンク部材及び第２リンク部材の前記ベッド部との接続部は、前記ベッド部の下方位置に配置されていることを特徴とする請求項１又は２に記載の保育器。
【発明の詳細な説明】
【技術分野】
【０００１】
本発明は、新生児を寝かせるベッド部に、落下防止のためのベッド柵が開閉可能に設けられた保育器に関する。
【０００２】
未熟新生児などに対して温度や湿度を最適な環境下に置くために保育器が使用され、このうち、適切に診察や医療処置を施すために、開放式保育器（インファントウォーマ）と呼ばれる保育器が知られている。開放式保育器は、ベッド部とその上方に配置されたヒーター部とを有しており、ベッド部の周囲にはベビーガードとも呼ばれるベッド柵が設けられている。ベッド柵は、医療処置などをおこなう場合に、その処置効率を高めるために下方向に移動してベッド部の周囲を開放することができるように設けられている。
【０００３】
この種の保育器として、例えば、特許文献１の保育器が開示されている。この保育器は、ベッド部の周囲に設けられたベッド柵のそれぞれの下辺側にヒンジ部が設けられ、このヒンジ部を回動中心として１８０°回動可能に取付けられ、ベッド柵が鉛直状態に立設したときに閉状態となり、ベッド柵を倒してベッド部の縁部から垂れ下がった状態としたときにベッド部の側方が開放されるように設けられている。
【先行技術文献】
【特許文献】
【０００４】
【特許文献１】特許第４１０１３５３号公報
【発明の概要】
【発明が解決しようとする課題】
【０００５】
しかしながら、特許文献１のようにヒンジ部でベッド柵を開閉させる保育器では、ベッド柵を回動させるための大きな空間がベッド部の側方に必要になり、このため、壁等に接近した位置ではベッド柵を開閉することが難しい。
また、ベッド柵を閉状態から開放状態に回動させて垂れ下げた際には、このベッド柵が裏返し状態となり、閉状態においてベッド側に向いていたベッド柵の内面側が、開状態においては外面側に向けられる。これにより、処置者等がベッドに近づいたときにベッド柵の外側面に処置者の膝や腿が接触し、この接触した面に雑菌が付着して繁殖するなどのおそれがあり、処置等が終わってベッド柵を元の鉛直状態に戻したときには接触した面がベッド側に面することになり、衛生上好ましくない。
【０００６】
本発明は、このような事情に鑑みてなされたもので、周囲の空間が少ない場所でもベッド柵を開閉動作させることができ、ベッド柵の開閉時にベッド側の内面側が外面側になることがなく、この面の外部との接触を防いで衛生的に優れた保育器を提供することを目的とする。
【課題を解決するための手段】
【０００７】
本発明の保育器は、ベッド部と、このベッド部の周辺に沿って立設され、ベッド部を囲む複数のベッド柵とを有し、前記ベッド柵の少なくとも一つには、該ベッド柵を上下方向に起立した姿勢を保持しながら上下移動して前記ベッド部の側方を開閉する開閉機構が設けられており、前記ベッド柵の上下移動を拘束するロック機構と、該ロック機構によるロック状態を解除するための解除レバーとが設けられており、前記ロック機構は、前記ベッド柵の内面部に垂直回動可能に設けられたロック部材と、前記ベッド部に固定され前記ロック部材を係合可能なロック部材係合部と、前記ロック部材をロック方向に付勢するばねとからなり、前記解除レバーは、前記ベッド柵の外面部に垂直回動可能に設けられ、前記ロック部材と解除レバーとの間に、ロック解除の際の前記解除レバーの垂直回動操作を前記ロック部材に伝達して該ロック部材をロック解除方向に垂直回動させる接続部材が設けられており、前記開閉機構は、前記ベッド部と前記ベッド柵との間を連結する第１リンク部材と、該第１リンク部材より下方位置で、前記ベッド部と前記ベッド柵とを連結する第２リンク部材とを有する平行リンク機構により構成され、前記第１リンク部材は、その長さ方向の途中位置が引張コイルばねによって前記ベッド部の裏面部に支持され、該引張コイルばねは、前記ベッド柵の閉止位置から開放位置の間の中間位置でほぼ水平状態となるように設けられている。
【０００８】
ベッド柵を回転させることなく上下移動させることによりベッド部の側方を開閉するので、ベッド柵の開閉のための大きな空間をベッド部の周囲に必要とすることなく、開閉操作できる。また、起立した姿勢を保持しながら移動するので、ベッド柵の内面が外方に向くことがなく、内面への処置者の接触を回避でき、衛生的である。
また、開閉機構を平行リンク機構としたことにより、ベッド柵の起立姿勢を確実に維持して開閉することができる。しかも、平行リンク機構による簡便な構造であり、コスト低減を図ることができる。
この場合、ベッド柵を閉じた状態から開放する際には、解除レバーをロック部材のばねの力に抗して操作することで、接続部材を介してロック部材も回動させてこのロック部材のロック部材係合部への係合を解除できる。一方、ベッド柵を開放状態から閉じた状態にする際には、ベッド柵を閉方向に移動してベッド部の側部に配置すれば、ロック部材がロック部材係合部に当接したときにロック部材がロック部材係合部に係合し、ばねによりこの状態が維持されることで閉じた状態を確保できる。この閉じた状態は、解除レバーを操作することがない限りばねにより維持され、ベッド柵が不用意に開方向に動作することもない。
【０００９】
本発明の保育器において、前記ロック機構は、前記ベッド柵の両側部に設けられ、前記接続部材は、接続棒により構成され、その長さ方向の中央部が前記解除レバーを垂直回動可能に支持する軸と、前記解除レバーの操作端部との間の位置を貫通し、両端部が前記ロック部材係合部に係合する係合凹部が設けられている端部とは前記ロック部材を垂直回動自在に支持する軸を介して反対側の端部を貫通していることが好ましい。
【００１１】
この場合、前記第１リンク部材及び第２リンク部材の前記ベッド部との接続部は、前記ベッド部の下方位置に配置されていることが望ましい。
【００１２】
このような構成とすることにより、平行リンク機構の一端部をベッド部の下方に引き込んだ状態に配置することができ、その分、平行リンク機構の他端部（ベッド柵側）のベッド部から側方への突出を抑えることができ、処置者等の処置作業等の邪魔になることがない。
【発明の効果】
【００１５】
本発明の保育器によれば、ベッド柵を上下方向に移動することでベッド部の側方を開閉することができ、ベッド部の占有寸法から大きくはみ出すことがないため、ベッド部周囲の空間の少ない場所でも開閉することができ、周辺に設置された他の医療機器などに接触することも少なくなる。また、その開閉に際して、ベッド柵の起立姿勢が変わらないので、ベッド柵を開放した状態において処置者等がベッド部に近づいたとしても、ベッド柵の外面のみへの接触に抑えられ、内面への接触を確実に防止できるため、この内面に雑菌が付着して繁殖したり汚れが付着するおそれがなく、衛生的に優れている。
【図面の簡単な説明】
【００１６】
【図１】本発明に係る保育器の一実施形態を示す斜視図である。
【図２】図１の保育器のベッド部の平面図である。
【図３】ベッド部の斜視図である。
【図４】ベッド部のベッド柵を開放した状態を示す斜視図である。
【図５】ベッド部の側面図である。
【図６】図５のＡ−Ａ線に沿う矢視断面図である。
【図７】図５のＢ−Ｂ線に沿う矢視断面図である。
【図８】図５のＣ−Ｃ線に沿うリンク部材等を省略した要部の矢視図である。
【図９】ベッド柵の開放動作の経緯を示す断面図である。
【発明を実施するための形態】
【００１７】
以下、本発明の保育器の実施形態を図面を参照しながら説明する。
この実施形態の保育器は、図１に全体を示すように、基台１の上にベッド部２が設けられるとともに、そのベッド部２の一端部から垂直にフレーム部３が立設され、そのフレーム部３の上端にキャノピー４が設けられている。キャノピー４はベッド部２の上面に対向するように配置され、ベッド部２に向けてヒーター、照明灯（ともに図示略）が備えられている。基台１は脚部５に対して昇降可能に設けられており、脚部５には、キャスター６、昇降ペダル７が設けられている。また、フレーム部３には各種操作のためのパネル部８等が設けられる。
【００１８】
そして、ベッド部２の周囲に、図２〜図４にも示すように、ベッド部２を囲むように垂直なベッド柵１０，１１が複数配設されており、図示例では、平面視矩形状のベッド部２の四辺のうち、フレーム部３が設けられている一辺のベッド柵１０はベッド部２に固定状態とされるが、他の三辺のベッド柵１１は、上下移動可能に設けられており、これら三つのベッド柵１１により、ベッド部２の三方を開閉することができるようになっている。これら三つのベッド柵１１は、大きさは異なるが、構造はほぼ同一であるので、以下の説明では同一符号を付して説明する。
以下、このベッド柵１１、及びその開閉機構１２の詳細について説明する。
【００１９】
ベッド柵１１は、その下端部を構成する柵ベース２０と、この柵ベース２０から上方に立設された板状部材２１とを有している。
板状部材２１は、例えば、透明アクリル板などの透明樹脂板からなり、この板状部材２１は、柵ベース２０に立設状態で取り付けられている。
ベッド柵１１の柵ベース２０は、開閉機構１２を介してベッド部２に支持されており、この開閉機構１２は、平行リンク機構１４、ロック機構４０及び解除レバー４１を有している。
【００２０】
平行リンク機構１４は、ベッド柵１１の上端部とベッド部２の裏面部との間を連結する第１リンク部材３１と、第１リンク部材３１より下方位置でベッド柵１１の下端部とベッド部２の裏面部との間を連結する第２リンク部材３２とを有している。第１リンク部材３１、第２リンク部材３２の各両端部は、ベッド部２とベッド柵１１との所定位置に、接続部である軸３３〜３６によりそれぞれ回転自在に支持され、これら第１リンク部材３１、第２リンク部材３２は、略平行状態に維持されながら、ベッド部２側に設けられた各軸３３、３５を中心にそれぞれ回動可能に設けられる。この開閉機構１２により、ベッド柵１１の上下移動時の垂直姿勢が保持可能となる。
【００２１】
第１リンク部材３１及び第２リンク部材３２のベッド部２との接続部である軸３３、３５は、ベッド部２の裏面部に配置されている。このうち、第２リンク部材３２は、ベッド部２の裏面のさらに下方に延びるブラケット３７の下端に軸３５により接続されている。第１リンク部材３１の軸３３は、ブラケット３７の軸３５よりも上方位置でベッド部２の裏面部に接続される。
また、第１リンク部材３１は、その長さ方向の途中位置が引張コイルばね３８によってベッド部２の裏面部に支持されている。この引張コイルばね３８は、ベッド柵１１の閉止位置から開放位置の間の中間位置付近でほぼ水平状態となるように設けられている。
【００２２】
柵ベース２０には、ベッド柵１１の上下移動を拘束するロック機構４０と、このロック機構４０によるロック状態を解除するための解除レバー４１とが設けられている。ロック機構４０は、ロック部材４２と、ロック部材係合部４３と、図示しないばねとを備えている。
ロック部材４２は、ベッド柵１１の両側部付近に配置され、軸４５を介してベッド柵１１の内面部に垂直回動可能に設けられている。
ロック部材係合部４３は、この実施形態では水平方向に取り付けられた係合ピンからなり、ベッド部２の両側部付近にブラケット４４により固定されている。一方、ロック部材４２には、その一部を切り欠くように係合凹部４６が形成され、その係合凹部４６がロック部材係合部４３に係合可能に配置されている。そして、ロック部材係合部４３にロック部材４２の係合凹部４６が係合することで、ベッド柵１１の閉じた状態が保持される。ロック部材係合部４３は、係合凹部４６が係合可能であればピン形状でなくてもよく、適宜形状に設けられていてもよい。
【００２３】
ロック部材４２は、図示略のばねによりロック方向に付勢される。このばねは、ねじりコイルばねからなり、ロック部材４２の軸４５に巻付いた状態で取り付けられ、ロック部材４２を図６の反時計回りに付勢している。このばねの付勢力に抗する時計回り方向にロック部材４２が回転したときに、ロック部材係合部４３から係合凹部４６が外れてロック部材４２のロックが解除され、ベッド柵１１を開放方向に操作可能となる。
なお、図６に示すように、ロック部材４２の係合凹部４６に繋がる先端部は傾斜面４２ａに形成されており、開放したベッド柵１１を閉じる際に、図９の二点鎖線で示すように、ロック部材係合部（係合ピン）４３にロック部材４２の先端部の傾斜面４２ａが当接し、そのまま押し込むことにより、傾斜面４２ａがロック部材係合部４３に押されて、この傾斜面４２ａを乗り越えるようにしてばねの付勢力に抗してロック部材４２を回動し、係合凹部４６をロック部材係合部４３に係合することができる。
【００２４】
また、柵ベース２０の幅方向の中央位置には、柵ベース２０の外方に開口する開口部４７が設けられ、この開口部４７に解除レバー４１の操作端部である下端部４１ａが臨ませられている。
解除レバー４１は、下方向から手で引っ掛けて操作可能な形状に形成され、ベッド柵１１の中央部付近に配置される。解除レバー４１は、図７に示すように、一端部が水平な軸４８によって柵ベース２０に取り付けられ、この軸４８を介して垂直回動可能に設けられる。この解除レバー４１の軸４８と、ロック部材４２の軸４５とは、同一軸線上に配置されている。図９では、符号４８に符号４５を括弧を付して併記している。
【００２５】
ロック部材４２と解除レバー４１との間には、図８に示すように、長尺状の接続部材５０が設けられる。この接続部材５０を介してロック部材４２と解除レバー４１とが一体化され、解除レバー４１の垂直回動動作が接続部材５０を介してロック部材４２に伝達され、ロック部材４２が解除方向に垂直回動可能になっている。接続部材５０は、図示例では１本の長尺な接続棒により構成され、その長さ方向の中央部が、解除レバー４１の軸４８と操作端部４１ａとの間の位置を貫通し、両端部が、ロック部材４２の係合凹部４６が設けられている端部とは軸４５を介して反対側の端部を貫通している。この接続部材５０を貫通している解除レバー４１及びロック部材４２の貫通孔は、接続部材５０よりも大径に形成され、両貫通部とも接続部材５０を回転自在に支持している。
解除レバー４１を図７の時計回りに回動すると、接続部材５０で接続されたロック部材４２が図６に二点鎖線で示すように軸４５を中心に時計回りに回動して、係合凹部４６がロック部材係合部４３から離脱させられ、ロックが解除される。
【００２６】
続いて、本発明の上記実施形態における保育器の動作並びに作用を説明する。
ロック部材４２には、ばねにより軸４５を中心に図６の反時計回りに付勢力が働いており、この付勢力によりロック部材４２がロック方向に回転してロック部材係合部４３に係合凹部４６が係止している。これにより、図１〜図３に示すようにベッド柵１１の閉じた状態が保持されている。
【００２７】
図１〜図３に示す閉じた状態から図４に示す開放状態にベッド柵１１を操作する場合、ベッド柵１１の柵ベース２０の開口部４７に露出している解除レバー４１の下端部４１ａを把持し、これを手前方向に引くようにして、図７の時計回りに解除レバー４１を回動する。これにより、接続部材５０を介して解除レバー４１と接続されたロック部材４２が解除レバー４１に連動して軸４５を中心に図６の時計回りに回動する。
このロック部材４２が回転すると、ロック部材係合部４３に係合していた係合凹部４６が図６の二点鎖線で示すようにロック部材係合部４３から外れる。
【００２８】
このロック解除状態を保持しつつベッド柵１１を手前に引くことで、ベッド柵１１を図９の二点鎖線で示したベッド部２を閉止した位置から開放した位置へと移動することができる。このとき、ベッド柵１１は、平行リンク機構１４によって移動させられるので、その起立姿勢を維持したまま下方に移動させられる。
このため、ベッド柵１１の内面が外方を向くことはなく、開放状態においても、ベッド柵１１の外面が外方を向いて配置されるので、処置者等がベッド柵１１の内面に触れることはなく、衛生的である。
【００２９】
また、その平行リンク機構１４の両リンク部材３１，３２の一端部がベッド部２の下方に配置されているので、ベッド柵１１がベッド部２の側方へ大きく張り出すことがなく、図９の実線矢印で示すように、ベッド部２の側方にわずかに離間するだけで下方に移動することができる。
したがって、ベッド部２の側方に開閉のための空間を大きく確保する必要がなく、壁に接近した位置に配置された場合でも、わずかなスペースがあれば、ベッド柵１１を開閉することができる。
【００３０】
なお、ベッド柵１１を開放状態から閉じた状態に操作する場合には、上記の場合と逆の操作をおこなえばよい。この場合、前述したように、ベッド柵１１を閉じる方向に操作して図９の二点鎖線で示すようにロック部材４２をロック部材係合部４３に押圧すると、ロック部材４２の傾斜面４２ａの作用により、ロック部材４２がばねの付勢力に抗してロック部材係合部４３に沿って開き方向に回動し、係合凹部４６にロック部材係合部４３を係合してロック状態とすることができる。
【００３１】
また、この一連の開閉操作において、柵ベース１１を支持している平行リンク機構１４の第１リンク部材３１が、その開閉動作の中間位置付近でほぼ水平状態となる引張コイルばね３８によってベッド部２に引張付勢された状態に支持されているので（図９参照）、柵ベース１１を開く動作、あるいは閉める動作のいずれにおいても、引張コイルばね３８がほぼ水平状態になるまでの前半の動作においては、引張コイルばね３８の付勢力によって動作が補助され、軽い力で円滑に操作することができる。
一方、引張コイルばね３８がほぼ水平状態となった後の後半の動作においては、引張コイルばね３８を引き伸ばす方向となるため、その付勢力が大きくなるが、柵ベース１１を開く際には、柵ベース１１の自重も作用するので、比較的軽い力で操作することができ、引張コイルばね３８の引張力と柵ベース１１の自重とが釣り合う位置で停止する。柵ベース１１を閉じる際には、引張コイルばね３８の引張力に抗して柵ベース１１を移動してロックすることになり、確実な操作感を得ることができ、ロックを確実にすることができる。
【００３２】
以上、本発明の一実施形態について説明したが、本発明は、この実施形態に限定されるものではなく、特許請求の範囲に記載された発明の趣旨に基づいて各種の変更および修正が可能である。
例えば、開閉機構、ロック機構、解除レバー等の細部構造も実施形態の構造に限定されず、他の構造とすることができる。
また、ベッド部を囲む複数のベッド柵のうちの三方を開閉できるようにしたが、本発明は、少なくとも一つのベッド柵に上述の開閉機構を有する構成も含むものとする。
【符号の説明】
【００３３】
２  ベッド部
１０，１１  ベッド柵
１２  開閉機構
１４  平行リンク機構
２０  柵ベース
２１  板状部材
３１  第１リンク部材
３２  第２リンク部材
３３〜３６  軸（接続部）
３７  ブラケット
４０  ロック機構
４１  解除レバー
４１ａ  下端部
４２  ロック部材
４２ａ  傾斜面
４３  ロック部材係合部
４６  係合凹部
４７  開口部
５０  接続部材
【図１】
0006399287.tif 000002
【図２】
0006399287.tif 000003
【図３】
0006399287.tif 000004
【図４】
0006399287.tif 000005
【図５】
0006399287.tif 000006
【図６】
0006399287.tif 000007
【図７】
0006399287.tif 000008
【図８】
0006399287.tif 000009
【図９】
0006399287.tif 000010